(57)【特許請求の範囲】
【請求項１】
焼物瓦に形成される係止生地孔の製造方法は、
前記焼物瓦の係止生地孔箇所に凹部及びこの凹部に隣接して膨出部を形成し、
この膨出部を押圧して前記凹部の一部を隠蔽し、
前記焼物瓦の裏面の頭側やや内方に、双頭釘又は折曲げ釘等の釘の一段目の頭が挿入される拡大凹部と、この拡大凹部に連通する係止孔及び細幅溝を備えた係止突片が形成されることを特徴とする焼物瓦の係止生地孔の製造方法。
【発明の詳細な説明】
【０００１】
【産業上の利用分野】
本発明は、焼物瓦の係止生地孔の製造方法に関する。
【０００２】
【従来の技術】
従来、瓦の頭側裏面に係止孔を形成し、この瓦の下段（下方）の瓦（下段の瓦とする）の尻側とを一本の釘で利用して緊結する構成としては、実用新案登録第２５４７２９６号の「平板瓦の葺設構造」がある。内容は、平板瓦を軒棟方向に亘って内部に中空部を有する中空構造に形成し、平板瓦の棟側に上下に貫通するように設けた釘打ち孔に、固定釘を挿通して屋根地に平板瓦を固定するとともに、固定釘の引掛け頭部を平板瓦の上面に突出させ、平板瓦の軒側で下面から中空部に貫通するように穿孔しただるま孔状の引掛け孔を固定釘の引掛け頭部に引掛け係止してなる構成である。しかし、この考案は、中空構造の平板瓦に、打抜き方法で釘孔を形成する構成であり、抜きカスの処理に問題がある。また打抜き方法は、中空構造の平板瓦には適するが、ムクの構造の各種瓦には、不向である。
【０００３】
その改良の一環として本出願人は、「瓦の葺設方法と、その瓦」を提案している。
【０００４】
尚、瓦の分野において、二回の成形加工を利用して瓦生地を成形する構成として特開平１０−３２９１１７号の「瓦用の成形金型」がある。内容は、下型に可動型部材を設け、この可動型部材の回転で瓦の膨出部を形成する構成であり、当該膨出部の密度の均一性及び歩留まりの向上を図ることにある。
【０００５】
【発明が解決しようとする課題】
前記、「瓦の葺設方法と、その瓦」の発明は、二段頭を備えた釘（双頭釘）で、上下段の瓦を緊結する構成の提案となっている。従って、この種の瓦を低コスト、大量生産方式で製造する方法に関する提案ではないことから、この度は、当該焼物瓦を低コスト、大量生産方式で製造できる方法、又は前記双頭釘を改良した他の双頭釘の提供を意図する。
【０００６】
【課題を解決するための手段】
請求項１の発明は、焼物瓦の係止生地孔を確実かつ簡便に成形すること、焼物瓦の係止生地孔を抜きカスを生成することなく、しかもプレス成形を利用して確実かつ簡便に成形すること、等を意図する。また焼物瓦の係止に最適な構造を提供すること、又は拡大凹部、係止孔及び係止突片の構造は、焼物瓦の製造過程で、当該焼物瓦の肉厚及び形状、金型等を変更することなく、簡易かつ確実に成形すること、さらにこの成形後は、原則として、従来と同じ加工処理により、歩留まりよく製造すること、等を意図する。そして、本発明は、焼物瓦の取扱い及び運搬、葺き上げ等の技術は従来の焼物瓦に準ずること、拡大凹部、係止孔等を焼物瓦の裏面の谷部に設けることで、成形の簡便化、確実性等を図ること、等を意図する。
【０００７】
請求項１は、焼物瓦に形成される係止生地孔の製造方法は、
前記焼物瓦の係止生地孔箇所に凹部及びこの凹部に隣接して膨出部を形成し、
この膨出部を押圧して前記凹部の一部を隠蔽し、
前記焼物瓦の裏面の頭側やや内方に、双頭釘又は折曲げ釘等の釘の一段目の頭が挿入される拡大凹部と、この拡大凹部に連通する係止孔及び細幅溝を備えた係止突片が形成されることを特徴とする焼物瓦の係止生地孔の製造方法である。
【０００８】
【０００９】
【００１０】
【００１１】
【００１２】
【００１３】
【００１４】
【００１５】
【００１６】
【発明の実施の形態】
図５又は図１０に示す如く、第１回の成形加圧で、焼物瓦の原形となる焼物瓦素地（焼物素地）と、この焼物瓦素地の適宜位置（係止生地孔箇所）に係止生地孔の原形を成形する。この係止生地孔の原形は、膨出部と凹部で構成し、かつこの膨出部は断面視して略三角形状に、また凹部は断面視して略溝形状に成形される。この第１回の成形加工で係止生地孔の原形が成形される。
【００１７】
図８、図１３又は図１５に示す如く、第２回の成形加工で、膨出部を偏平台形状に成形しつつ、その余剰粘土が凹部に進入して（凹部の一部を隠蔽する）係止突片を成形する。この第２回の成形加工で係止生地孔が成形される。
【００１８】
その後は、従来の焼物瓦と同様の処理、例えば、乾燥、釉薬（表面加工の一種）、燻化処理による加工処理、窯入れ、冷却等を介して焼物瓦が製造される。尚、第１回・第２回の成形加工の方法及び構成は、各種の加工態様を採用する。例えば、在来の成形加工と併用する方式、一つの（又は二つの）金型による成形加工方式、一工程（又は二工程）による成形加工方式、等の例である。また係止孔を設ける位置は、焼物瓦の頭側裏面の適宜位置とするが、望ましくは、在来の焼物瓦を想定して、尻側の釘孔に整合する位置関係が便利かつ有益である。
【００１９】
この焼物瓦には、頭側裏面に係止孔が、尻側近傍に釘孔が、形成されているので、例えば、図２、図３の如く、下段の焼物瓦Ｗ１の釘孔に釘を打込んで一段目の頭を当接する。この釘の二段目の頭及び二段目の釘杆は、下段の焼物瓦Ｗ１の表面より突出している。そこで、この二段目の頭及び二段目の釘杆を利用して、上段の焼物瓦Ｗ２を緊結する。具体的には、二段目の頭の上に、支持した上段の焼物瓦Ｗ２の拡大凹部を位置させた後、上段の焼物瓦Ｗ２を移動すると、二段目の頭は係止孔に、また二段目の釘杆は係止突片間に到る。即ち、二段目の頭と係止孔及び係止突片との係止を介して当該上段の焼物瓦Ｗ２は緊結される。
【００２０】
【実施例】
図中１は頭側１ａ、尻側１ｂ、差込み側１ｃ、棧側１ｄを備えた焼物瓦で、この焼物瓦１の裏面１Ｂの頭側１ａやや内方には、双頭釘又は折曲げ釘等の一段目の頭（後述する）が挿入される拡大凹部１１１と、この拡大凹部１１１に連通する係止孔１１２及び細幅溝１１３を備えた係止突片１１４が形成されている。この係止突片１１４は、係止孔１１２に併設する例（図１〜図８の例）、係止孔１１２の一方側に設ける例（図１０〜図１４の例）、係止孔１１２の一方側に設ける他の例（図１５の例）等がある。この係止突片１１４の膨出寸法は、略３〜５ｍｍ程度とすることにより、焼物瓦１の積層又は結縛時等において重合せができる。また細幅溝１１３は、略３〜５ｍｍ程度とする。また図１５は、焼物瓦１の肉厚を係止孔１１２と面一とする例であり、焼物瓦１及び／又は屋根の軽量化、粘土の節約化等に役立つ特徴がある。更に図１６の平板焼物瓦９では、係止突片１１４の膨出寸法は、略８〜１０ｍｍ程度でも可能である。また図１７は平板焼物瓦９の端側９ａに、係止孔１１２ａを設けた構成例である。この拡大凹部１１１、係止孔１１２及び係止突片１１４の構造は、焼物瓦１の製造過程で、当該焼物瓦１の肉厚及び形状、金型等を変更することなく、簡易かつ確実に成形できる。例えば、前述の第１・２回目の成形加工を利用して、簡便かつ確実に成形できる。この成形後は、原則として、従来と同じ加工処理により、歩留まりよく製造できる。また焼物瓦１の取扱い及び運搬、葺き上げ等の技術は従来の焼物瓦（図示せず）に準ずる。１Ａは焼物瓦１の表面を示す。また図示しないが、拡大凹部１１１、係止孔１１２等を焼物瓦１の裏面１Ｂの谷部に設けることで、成形の簡便化、確実性等が図れる。
【００２１】
図中２は釘を示しており、図１８（イ）は双頭釘２ａを、図１８（ロ）は折曲げ釘２ｂを、図１８（ハ）はクロス折曲げ釘２ｃをそれぞれ示す。双頭釘２ａは、一段目の釘杆２００ａと、この一段目の釘杆２００ａに設けた一段目の頭２０１ａと、この一段目の頭２０１ａに設けた二段目の釘杆２０２ａを介して設けられた二段目の頭２０３ａを主構成要素とする。尚、一段目の頭２０１ａに弾性の止水部材を設けることもある。この二段目の頭２０３ａは、拡大凹部１１１から係止孔１１２に移行し、これに付随して、二段目の釘杆２０２ａも同様に拡大凹部１１１から細幅溝１１３に移行する。この結果、二段目の頭２０３ａは、係止孔１１２に至り、かつ二段目の頭２０３ａは、係止突片１１４に規制（緊締）されることで、例えば、上の焼物瓦１と下の焼物瓦１’との連繋強化と、この上の焼物瓦１と下の焼物瓦１’等の飛散又はズレ防止に機能する。また折曲げ釘２ｂは、一段目の釘杆２００ｂと、この一段目の釘杆２００ｂに設けた一段目の頭２０１ｂと、この一段目の頭２０１ｂに設けた二段目の釘杆２０２ｂを介して設けられた二段目の折曲げ頭２０３ｂを主構成要素とする。この例の取扱い、効果は前述の双頭釘２ａに準ずる（以下同じ）。更にクロス折曲げ釘２ｃは、一段目の釘杆２００ｃと、この一段目の釘杆２００ｃに設けた一段目の頭２０１ｃと、この一段目の頭２０１ｃに設けた二段目の釘杆２０２ｃを介して設けられた二段目のクロス折曲げ頭２０３ｃを主構成要素とする。
【００２２】
【００２３】
図中２０は金型の一例を示す。
【００２４】
【発明の効果】
請求項１の発明は、請求項１は、焼物瓦に形成される係止生地孔の製造方法は、  焼物瓦の係止生地孔箇所に凹部及びこの凹部に隣接して膨出部を形成し、膨出部を押圧して凹部の一部を隠蔽し、焼物瓦の裏面の頭側やや内方に、双頭釘又は折曲げ釘等の釘の一段目の頭が挿入される拡大凹部と、拡大凹部に連通する係止孔及び細幅溝を備えた係止突片が形成されることを特徴とする焼物瓦の係止生地孔の製造方法である。
従って、焼物瓦の係止生地孔を確実かつ簡便に成形できること、焼物瓦の係止生地孔を抜きカスを生成することなく、しかもプレス成形を利用して確実かつ簡便に成形できること、等の特徴がある。
また焼物瓦の係止に最適な構造を提供できること、又は拡大凹部、係止孔及び係止突片の構造は、焼物瓦の製造過程で、当該焼物瓦の肉厚及び形状、金型等を変更することなく、簡易かつ確実に成形できること、さらにこの成形後は、原則として、従来と同じ加工処理により、歩留まりよく製造できること、等の特徴がある。
そして、本発明は、焼物瓦の取扱い及び運搬、葺き上げ等の技術は従来の焼物瓦に準じ得ること、拡大凹部、係止孔等を焼物瓦の裏面の谷部に設けることで、成形の簡便化、確実性等が図れること、等の実益がある。
【００２５】
【００２６】
【００２７】
【００２８】
【図面の簡単な説明】
【図１】      焼物瓦の裏面図である。
【図２】      焼物瓦の葺き上げを示す一部欠截の側面図である。
【図３】      図２の拡大断面図である。
【図４】      焼物瓦の表面図である。
【図５】      第１回の成形加圧後の焼物瓦の係止生地孔を示す拡大断面図である。
【図６】      図５の平面図である。
【図７】      第２回の成形加圧を模式的に示す拡大断面図である。
【図８】      第２回の成形加圧後の焼物瓦の係止生地孔を示す拡大断面図である。
【図９】      図８の平面図である。
【図１０】      他の第１回の成形加圧後の焼物瓦の係止生地孔を示す拡大断面図である。
【図１１】      図１０の平面図である。
【図１２】      他の第２回の成形加圧を模式的に示す拡大断面図である。
【図１３】      他の第２回の成形加圧後の焼物瓦の係止生地孔を示す拡大断面図である。
【図１４】      図１３の平面図である。
【図１５】      更に他の第２回の成形加圧後の焼物瓦の係止生地孔を示す拡大断面図である。
【図１６】      他の焼物瓦の裏面図である。
【図１７】      （イ）は双頭釘、（ロ）は折曲げ釘、（ハ）はクロス折曲げ釘をそれぞれ示す側面図である。
【符号の説明】
１                焼物瓦
１’              焼物瓦
Ｗ１              下段の焼物瓦
Ｗ２              上段の焼物瓦
１Ａ              表面
１Ｂ              裏面
１ａ              頭側
１ｂ              尻側
１ｃ              差込み側
１ｄ              棧側
１１１            拡大凹部
１１２            係止孔
１１２ａ          係止孔
１１３            細幅溝
１１４            係止突片
２                釘
２ａ              双頭釘
２００ａ          一段目の釘杆
２０１ａ          一段目の頭
２０２ａ          二段目の釘杆
２０３ａ          二段目の頭
２ｂ              折曲げ釘
２００ｂ          一段目の釘杆
２０１ｂ          一段目の頭
２０２ｂ          二段目の釘杆
２０３ｂ          二段目の折曲げ頭
２ｃ              クロス折曲げ釘
２００ｃ          一段目の釘杆
２０１ｃ          一段目の頭
２０２ｃ          二段目の釘杆
２０３ｃ          二段目のクロス折曲げ頭
３                引掛け
４                釘孔
５                水返し
６                屋根地
７                横棧
９                平板焼物瓦
９ａ              端側
１０              タイル
１１              掛け物
２０              金型
【図１】
0003893580.tif 000002
【図２】
0003893580.tif 000003
【図３】
0003893580.tif 000004
【図４】
0003893580.tif 000005
【図５】
0003893580.tif 000006
【図６】
0003893580.tif 000007
【図７】
0003893580.tif 000008
【図８】
0003893580.tif 000009
【図９】
0003893580.tif 000010
【図１０】
0003893580.tif 000011
【図１１】
0003893580.tif 000012
【図１２】
0003893580.tif 000013
【図１３】
0003893580.tif 000014
【図１４】
0003893580.tif 000015
【図１５】
0003893580.tif 000016
【図１６】
0003893580.tif 000017
【図１７】
0003893580.tif 000018